【手続補正書】
【提出日】平成17年3月29日(2005.3.29)
【手続補正１】
【補正対象書類名】特許請求の範囲
【補正対象項目名】全文
【補正方法】変更
【補正の内容】
【特許請求の範囲】
【請求項１】
織られたプラスチック製の網状材料からなるシートと、複数のファスナーとを備え、織られたプラスチック製の網状材料からなる前記シートは、空気を透過できる複数の開口を持ち、前記シートは、その第１面に塗装された画像を有する、乗り物の側面に外部から装着された、広告パネル。
【請求項２】
前記複数のファスナーは、乗り物に取り付けられた複数の対応連結ファスナーと噛み合うように改良された再閉可能な複数の連結ファスナーからなる、請求項１に記載の広告パネル。
【請求項３】
前記複数のファスナーは、３Ｍ（登録商標）デュアルロック（登録商標）ファスナーである、請求項２に記載の広告パネル。
【請求項４】
前記シートは、可撓性である、請求項１から３までのいずれかに記載の広告パネル。
【請求項５】
前記シートは、ＰＶＣ、ポリエステル、または、それらの複合物からなる、請求項１から４までのいずれかに記載の広告パネル。
【請求項６】
織られた網状材料からなる前記シートが１００Ｐａにおいて平方メートル当たり毎秒少なくとも１０００リットルの空気透過率を有する、請求項１から５までのいずれかに記載の広告パネル。
【請求項７】
前記パネルは、前記シートの少なくとも１つの縁に沿って補強ストリップを備える、請求項１から６までのいずれかに記載の広告パネル。
【請求項８】
前記補強ストリップは、前記シートの前縁に取り付けられており、前記前縁は、前記パネルが乗り物に搭載されたときに乗り物の前部に最も近い縁である、請求項７に記載の広告パネル。
【請求項９】
前記シートの前縁は、その全長にわたってファスナーを備える、請求項８に記載の広告パネル。
【請求項１０】
前記補強ストリップは、前記シートのすべての縁に取り付けられている、請求項７に記載の広告パネル。
【請求項１１】
前記シートのすべての縁に沿って複数のファスナーが間隔を置いて取り付けられている、請求項１０に記載の広告パネル。
【請求項１２】
外表面に再閉可能な複数のファスナーを有する側壁を少なくとも１つと、この側壁に搭載された請求項１から１１までのいずれかに記載の広告パネルとを備え、前記パネルの前記再閉可能な複数のファスナーは、前記側壁に取り付けられた前記複数のファスナーへの取り付けおよび該ファスナーからの取り外しが可能である、乗り物。
【請求項１３】
前記側壁に取り付けられている前記再閉可能な複数のファスナーは、接着剤によって前記側壁に接着されている、請求項１２に記載の乗り物。
【請求項１４】
前記側壁に取り付けられている前記再閉可能な複数のファスナーは、固定手段によって前記側壁に固定されている、請求項１２に記載の乗り物。
【請求項１５】
少なくとも一部がカーテンに囲まれた貨物支持体と、前記カーテンに搭載された請求項１から１１までのいずれかに記載の広告パネルとを備え、前記カーテンは、その表面に再閉可能な複数のファスナーを有し、前記パネルの前記再閉可能な複数のファスナーは、前記カーテンに取り付けられた前記複数のファスナーへの取り付けおよび該ファスナーからの取り外しが可能である、乗り物。
【請求項１６】
前記カーテンに取り付けられている前記再閉可能な複数のファスナーは、接着剤によって前記カーテンに接着されている、請求項１５に記載の乗り物。
【請求項１７】
前記カーテンに取り付けられている前記再閉可能な複数のファスナーは、固定手段によって前記カーテンに固定されている、請求項１５に記載の乗り物。
【請求項１８】
前記カーテンに取り付けられている前記再閉可能な複数のファスナーは、加熱接合、超音波接合、縫い付けおよび塑造の中から選ばれた固定手段によって前記カーテンに固定されている、請求項１５に記載の乗り物。
【請求項１９】
乗り物の側壁またはカーテンの表面に、再閉可能な複数のファスナーを所定パターンで固定する工程と、
前記再閉可能な複数のファスナーに広告パネルを、取り外しができるように取り付ける工程と、
を含み、前記パネルは、第１面に塗装された画像を有するプラスチック製の網状材料からなるシートと、前記乗り物の側壁またはカーテンの表面での前記再閉可能な複数のファスナーの前記所定パターンに対応するパターンで取り付けられた再閉可能な複数のファスナーとを有する、前記乗り物の前記少なくとも１つの側に少なくとも１つの広告パネルを表示するために乗り物を改造する方法。
【請求項２０】
前記乗り物の側壁またはカーテンの表面に取り付けられた前記再閉可能な複数のファスナーから、前記広告パネルに取り付けられた前記再閉可能な複数のファスナーを分離することによって前記広告パネルを除去する工程と、
前記再閉可能な複数のファスナーに第２広告パネルを、取り外しができるように取り付ける工程と、
をさらに含み、前記第２パネルは、第１面に塗装された画像を有するプラスチック製の網状材料からなるシートと、前記乗り物の側壁またはカーテンの表面での前記再閉可能な複数のファスナーの前記所定パターンに対応するパターンで取り付けられた再閉可能な複数のファスナーとを有する、請求項１９に記載の方法。
【請求項２１】
前記広告パネルまたは各広告パネルは、請求項１から１１までのいずれかに記載の広告パネルである、請求項１９または２０に記載の方法。
【請求項２２】
乗り物の所有者が所有する少なくとも１つの乗り物を広告の搭載および表示のために改造かつ使用することについて、金銭の支払いまたは前記所有者またはその代理人もしくは代表者にとって金銭に相当するものの支払いを見返りとして前記所有者またはその代理人もしくは代表者の同意を得る工程と、
前記乗り物の側面、または、この側面に搭載できるように改良されたカーテンに、再閉可能な複数のファスナーを所定パターンで固定することによって前記少なくとも１つの乗り物を改造する工程と、
金銭または金銭相当物を見返りとして広告パネルにおける少なくとも１つの広告の搭載および表示のために前記乗り物を使用する権利を販売する工程と、
少なくとも一人の見物人に見えるように前記乗り物の一側面の少なくとも一部を広告パネルが覆うことができるようなやり方で前記再閉可能な複数のファスナーに請求項１から１１までのいずれかに記載の広告パネルを少なくとも１つ取り付ける工程と、
を含む、移動広告の調達かつ開発のための方法。
【手続補正２】
【補正対象書類名】明細書
【補正対象項目名】０００５
【補正方法】変更
【補正の内容】
【０００５】
本発明の第１の観点によれば、織られたプラスチック製の網状材料からなり、空気を透過できる複数の開口を持つシートと、複数のファスナーとを備え、前記シートは、その第１面に塗装された画像を有する、乗り物の側面に外部から装着された、広告パネルが提供される。
前記複数のファスナーは、好ましくは、乗り物に取り付けられた複数の対応連結ファスナーと噛み合うように改良された再閉可能な複数の連結ファスナーからなる。前記複数のファスナーは、好ましくは、３Ｍ（登録商標）デュアルロック（登録商標）ファスナーである。あるいは、前記複数のファスナーは、フック状ファスナーおよびループ状ファスナー、または、それらの類似物であってもよい。
【手続補正３】
【補正対象書類名】明細書
【補正対象項目名】０００６
【補正方法】変更
【補正の内容】
【０００６】
前記シートは、好ましくは、可撓性で、且つ、織られたものである。前記シートは、好ましくは、ＰＶＣ、ポリエステル、または、それらの複合物からなる。しかしながら、適切な強度または印刷適性を有するものであれば、他の適切なプラスチック製材料を１種のみ単独で、または、複数種を組み合わせて用いてもよい。このようなシート材料は、それ自体がＵＳ−Ａ−３７８２８７２にて開示されている。
前記網状材料は、好ましくは、空気を透過できる複数の開口を持つ。前記シートは、好ましくは、１００Ｐａにおいて平方メートル当たり毎秒少なくとも１０００リットルの空気透過率を有する。
前記パネルは、好ましくは、前記シートの少なくとも１つの縁に沿って固い補強ストリップを備える。この固い補強ストリップは、好ましくは、前記シートの前縁に取り付けられる。この前縁は、前記パネルが乗り物に搭載されたときに乗り物の前部に最も近い縁である。前記シートの前縁は、好ましくは、その全長にわたってファスナーを備える。
【手続補正４】
【補正対象書類名】明細書
【補正対象項目名】００１４
【補正方法】変更
【補正の内容】
【００１４】
以下、図面を参照しながら実施例のみによって本発明を具体的に説明する。
図１は、各長さ方向の側面がカーテン１４で覆われた荷物領域１２を持つトラック１０を示す。前記カーテン１４は、その上端が乗り物に固定されており、該カーテンの下端を乗り物に結び付ける複数の緊張紐１８による通常の方法で緊張されている。前記カーテン１４および紐１８は、当該技術分野でよく知られており、任意の適当な可撓性材料からなるものであってもよい。典型的には、前記カーテン１４は強化ＰＶＣからなり、一方、前記紐１８はナイロン製の帯紐からなる。
前記カーテン１４の表面は、該表面に接着剤４２で接着された複数のファスナー４４、４６、４８を有する。しかしながら、前記カーテンに前記複数のファスナーを固定するには、ボルト、ネジ、リベット、Ｕ字釘またはそれらの類似物等の固定手段を含む他の適当な手段を用いてもよいことは理解されるべきである。あるいは、前記複数のファスナーは、加熱接合、超音波接合、縫い付け、塑造またはそれらの類似手段等によって前記カーテンに固定してもよい。前記複数のファスナー４４、４６、４８は、３Ｍ（登録商標）デュアルロック（登録商標）ファスナー等の再閉可能なファスナー製品の構成要素である。前記複数のファスナー４４、４６、４８は、図５に示すように、広告パネル２０に取り付けられた複数の対応ファスナー３４、３６、３８と噛み合うように選択かつ配置される。
【手続補正５】
【補正対象書類名】明細書
【補正対象項目名】００１７
【補正方法】変更
【補正の内容】
【００１７】
以下、図５および６を参照しながら前記広告パネル２０の構成を説明する。該パネルは、プラスチック製の網状材料からなるシート２２を有する。前記網状材料は、典型的には、ＰＶＣで被覆されたポリエステル基材織布からなる。前記基材織布は、縦糸および横糸の両方向において１ｃｍ当たり３〜１０本（好ましくは５本）の糸を有していてもよい。両面に可撓性の可塑化ＰＶＣを塗布して１００〜８００ｇ／ｍ２、好ましくは約２００〜約５５０ｇ／ｍ２の重量を持つ材料を製造し、これにより、縦糸方向および横糸方向の繊維がそれらの交差点で互いに結合されるようにする。
前記網状材料中の開口は、１００Ｐａにおいて、平方メートル当たり、１０００〜６０００リットル／秒、好ましくは約２８００リットル／秒の空気透過率を可能にする。適切な網状材料は、ＶＵＦＬＥＸ  Ｄｉｇｉｔａｌ社がＶＵＦＬＥＸ  Ｄｉｇｉｔａｌ  ５５０の商品名で販売しているものである。しかしながら、任意の適当なプラスチック製網状材料を用いてもよいことは理解されるべきである。前記空気透過率は、支持表面が乗り物の固い壁であろうとカーテンであろうと、前記パネルが前記支持表面に対して平坦なままであることを確実にする。前記パネルのどちら側においても空気圧は均一にされる。これにより、前記パネルが前記支持表面にぱたぱたと当たるフラッピングが防止される。